(57)【要約】　　　（修正有）【課題】一般家庭等で使われるレンジフードのフィルター取り付け具で、特に各種の家庭用レンジフードの形状、サイズにかかわらず変形させて簡単に装着でき、安価に製造すること。【解決手段】フィルター取り付け具で、可撓性線材と環状部材で輪形にし、さらにスライド可能にしたことにより、レンジフードの形状に合わせたサイズ調整が容易にできるので、従来のように、形状に合わせて多品種作る必要がなく、簡単な構造の１品種ですべて適用できるので、製造が容易でコストも低廉で安価に提供できるものである。【選択図】図３
2004037060.tif 000002
【特許請求の範囲】
【請求項１】
レンジフードのフィルターを装着するフィルター取り付け具において、可撓性の線材と、この線材を輪形にスライド可能に止め、輪形のサイズ・形状を調整できる環状部を有することを特徴とするレンジフードのフィルター取り付け具。
【請求項２】
請求項１において、環状部が線材径の約２倍強の内径を有する管であるレンジフードのフィルター取り付け具。
【請求項３】
請求項１において、線材の両先端に線材の引き抜け防止部材を有することを特徴とするレンジフードのフィルター取り付け具。
【請求項４】
請求項１において環状部が、線材の各端部自体がコイル形状の環状部になったレンジフードのフィルター取り付け具。
【発明の詳細な説明】
【発明の属する技術分野】
【００１】この発明は一般家庭等で使われるレンジフードで、油煙、浮遊ごみ等に有効なフィルターを取り付ける、フィルター取り付け具に関するものであり、特にレンジフードの形状・サイズにかかわらず、容易に変形させて装着でき、安価に製造できるものである。
【従来技術】
【００２】近年の住宅では、調理時の油の多用化や機密性の向上のため排気ダクトとシロッコファン等を装備し、吸排気性能を強化した換気扇が増加している。しかるに、従来のレンジフードの吸気口部に標準装備をされているフィルターは、設備内部の機材を損傷させる、或いは排気ダクト内部の詰まりの原因になるような比較的大きな異物吸入の遮断を目的とした金網状の金属フィルターであり、調理時に発生する煙・気体中のグリース・油分の捕集を目的としたものとは言えない。
このため、消費者の間では油分捕集まで可能な合成繊維やグラスファイバーを用い隙間の細かいフィルターへの取替えが進んでいるが、レンジフードの吸気口部の形状やサイズは多種多様であるため、素材は同じような合成繊維であっても、厚みの非常に薄い低密度のフィルターを既設の金網状金属フィルターの上に貼り付けるか、或いは、厚みのある高密度のぶ厚いフィルターの場合には、既設の金属フィルターのサイズに合わせた専用フィルター取り付け枠を特別に用意し、これにフィルターを取り付ける方法しかなかった。
前者は、フィルターが薄く油分捕集機能が小さい、或いは、油分の付着が進むと、既存の金属フィルターの圧損にさらに油分が付着し圧損が増したフィルター自体の圧損が加わり、吸気能力が大きく減退する欠点があった。
後者は、油分を取る点では理想的な繊維密度を持ったフィルターであるが、金属フィルターの上に貼り付けるには圧損が大きすぎるので、既設の金属フィルターとミリ単位で同じサイズの専用取り付け枠を用意しなければならないが、それ自体もサイズが１００種類以上と多く様々で、又、フィルター自体もこの枠のサイズ通りに切断せねばならないため、この枠と同様に、多数のサイズを用意しなければならず、価格も高価であり、流通上の複雑さもあるため、理想的な油煙対策フィルターの普及を妨げる要因になっていた。
【発明が解決しようとする課題】
【００３】この発明は各種形状・サイズのレンジフードの吸気口部に簡単に適合させ、容易に装着でき、構造が簡単で安価に製造できるフィルター取り付け具を提供し、台所に油煙がこもらず、且つ、レンジフードや排気ダクトの油汚れを激減させ、設備の清掃労力や費用を削減させることを実現するものである。
【課題を解決するための手段】
【００４】この発明はレンジフードのフィルターを装着する取り付け具で、金属製等不燃性又は難燃性の可撓性を有する線材と、この線材を輪形にスライド可能に止める環状部とにより線材を各種形状・サイズの輪状に自在に形成できるようにして、各種形状・サイズのレンジの吸気口部にあわせることができるようにし、可撓性の線材の持つ弾力が環状部での線材のスライドによっても円形を損なわず、そのサイズを維持する事ができるだけではなく、レンジフード本体に対する取り付け時にも、適当な固定力を持ち、そのままで、或いは、吸気口部の形状によっては、付属する固定補助具により落下しないように取り付ける事ができるようにし、さらに、レンジフードの吸気口部の縦・横のサイズに合致した輪形の線材の数箇所に、フィルター固定部材、例えば、面ファスナー等を取り付け、レンジフード本体にセットしておけば、吸気口部全体の大きさに近似して切断したフィルターをレンジフード本体に容易にセットする事ができ、フィルター交換を容易にしたものである。
【００５】さらに、環状部をアルミニウムなどの柔らかい金属管で形成することにより製造しやすく、輪形の形がしっかりして２重輪にすることができ、より各種の形状に対応しやすくなるようにしたものである。
【００６】さらに又、線材の両先端に線材の引き抜け防止部材を装着して輪の形がずれないようにし、また装着時に線材の先端で事故がないようにしたものである。
【００７】さらに、線材の先端をそれぞれコイル状の環状部として、スライド可能に止めることにより製造コストを抑えることができるようにしたものである。
【発明の実施例】
次にこの発明を簡単な実施例を用いて説明する。
【００８】まず図３によって、この発明のフィルター取り付け具の基本的な形状を説明する。
輪形を作る線材１には、不燃性で可撓性を有する鋼線等が好適で、このような素材で作られた輪形は、形状の復元性が良いので、輪形の形状・サイズを固定し易く、又、一つの形状・サイズに固定された輪形自体が適当な弾力を有して、レンジフードの吸気口部の溝に嵌装した際に反発力で押圧し、外れにくくなっている。
輪形に付帯する環状部２には約３ｃｍ長のアルミニウムの管を採用している。アルミニウム管の内径は線材の径の２倍強で線材１を輪形に形成できるとともに、ここで線材１をスライドさせる事ができ、しかも、線材と管の間の適当な摩擦により、サイズ調整時にも簡単に緩まず、又、サイズ調整後はその形状を保持できるようになっている。
線材の先端にはアルミニウム管と２本の線材の隙間をうずめる程度の、３のような、例えばプラスティックキャップを採用し、線材引き抜け防止部材とする。この防止部材は、鋭利な線材の先端の危険性をなくすとともに、サイズ調整後の輪形の形状をよりしっかりと固定できる機能も持っている。
このフィルター取り付け具をレンジフード本体に固定するに際し、その固定方法として、ネジやクリップ等を用いる場合には４のようなアルミニウム板を用い
た固定補助具を使う。これらの詳しい使用方法は下記
【００９】で説明する。
次に、フィルター自体を装着するには、５のフィルター固定部材を使う。フィルター自体は数十グラム程度の非常に軽量なものであるから、例えば、片面に粘着・接着性を持つ面ファスナーを輪形の線材の適所に貼り付けておけば、もう一方の面にフィルターが貼りつくので、フィルターの着脱は簡単である。
【００９】さて、この発明のフィルター取り付け具が実際にどのような利便性を持つのかを、レンジフードの吸気口部の概要に基づき説明する。
シロッコファン等を用いて吸排気能力を増強したレンジフードは、図１のようにフィルターを垂直方向に取り付ける、いわゆる深型タイプと、図２のようにフィルターを水平方向に取り付ける、いわゆる浅型タイプに大別できるが、どちらのタイプも、ガスレンジの大きさに適合するように作られているので、設備自体の横幅は６０、７５、９０ｃｍの３タイプに分類でき、それぞれの吸気口部の横幅も、この３サイズに近似のサイズとなっている。そして、この部分にあらかじめ装着された金網状の金属フィルターはこのサイズに合わせて２〜４枚程度で構成されている。すなわち、横幅６０ｃｍの吸気口部に２枚の金属フィルターが装着されている場合、一枚の幅は３０ｃｍとなる。ただし、縦幅は、２０ｃｍ程度の小さい場合から５０ｃｍ以上の大きい場合まで様々であり、ここに、サイズの多様性が発生する原因がある。
【０１０】このように、既設の金属フィルターは、例えば、横２７〜４５ｃｍ×縦２０〜５０ｃｍ等様々なサイズの長方形であり、これらをレンジフードに装着する方法・機構も一様ではないが、この発明の取り付け具を装着するに際し、それら既存の方式がどのように活用できるかを、図４に示すいくつかの代表例によって説明する。
深型タイプの場合、長方形の金属フィルター２〜４枚を取り付けるための、横幅全てに渡る二つの溝１１，１２が吸気口部の上部と下部で１のように平行に、あらかじめ付けられている場合があり、これは、襖や障子を取り付ける際、上下の敷居の溝にはめ込むのと同じ方法である。それ以外では、２のように、下部一方には２１のような横幅全てに渡る溝が付けられているが、上部には、２２のような、金属フィルターを挟み込むための横幅数センチメートル程度のクリップや、２４のような幅数ｃｍ程度の小さな溝が両端と中心部などに部分的に、あらかじめ付けられている場合などもある。
浅型タイプの場合も、１と同様に前後部ともに１１，１２のような横幅全てに渡る溝が、あらかじめ付けられているある場合と、３のように、後部一方には３１のような横幅全てに渡る溝が付けられているが、前部には３２のようなネジ孔や、バネを内装した２４と同様の小さな溝３６が部分的に、あらかじめ付けられている場合がある。
【０１１】図４の１の場合には、上下或いは前後に平行な長い二本の溝があるので、輪形のサイズを二つの溝の間隔より少し大きくしておけば、輪形の線材は、この二つの溝のどこかに嵌装し、ここに上下或いは前後二つの支点を作るので、固定補助具２３、或いは、３３が無くとも、図にある矢印方向に働く弾性によって、このフィルター取り付け具は固定できる。
図２、３の場合には、２１、３１のような長い溝が下部、或いは、後部の一方にしか無いが、他方、すなわち上部、或いは、前部の一方には、クリップ２２、或いは、小さな溝２４や３６が、或いは、ネジ孔３２があるので、これらの部分に支点ができれば、１と同様に、輪形の線材が持つ弾性によって、このフィルター取り付け具は固定できる。
この支点形成には３３のような固定補助具が好適である。３３の固定補助具は、長いネジ通し溝３５が開削された横長のバーでできているが、クリップ２２や小さな溝２４，３６がある場合には、クリップに挟まれた、或いは、小さな溝に嵌装した横長のバーのある一点が支点となり、ネジ孔３２がある場合には、ネジ通し溝３５のいずれかの部分で３４のようにネジ止めされた一点に支点が形成でき、他方、輪形の線材が嵌装した長い溝２１、３１のいずれかの部分の一支点との間に働く弾性によって、やはり、この取り付け具は固定できる。なお、このネジ止めに必要なネジは、あらかじめ装着されている金属フィルターに付属のものを使えばよい。
【０１２】次に、図５を用いて輪形の代表的形状形成について説明する。
上記
【００９】で説明したように吸気口部のサイズは様々であり、又、吸気口部の中心は吸引力が大きく、フィルターに対する負荷が大きいので、周辺部以上にフィルターを保持する強度が必要であるが、これは、二つの輪形の線材を重ねて使う事で解決できる。
１は、吸気口部の縦幅のサイズが横幅の２分の１のサイズより大きい場合、例えば横６０ｃｍに対し、縦３５〜４５ｃｍの様な場合、輪形の線材の弾性を活用するため縦幅より数センチ大きい輪形を作り、上下或いは前後に押圧すれば、楕円となり、レンジフードの吸引力が大きい中心部で、輪形が二重に重なり、フィルターをしっかりと支えられることを示している。
２は、吸気口部の縦幅のサイズが横幅の２分の１のサイズと同じ程度か、さらに小さい場合、例えば横６０ｃｍに対し、縦２０〜３０ｃｍ、のような場合、縦幅のサイズより１０ｃｍほどさらに大きい輪形をつくり、上下或いは前後に上記１の場合よりさらに大きく押圧すれば、さらに扁平な楕円が形成され、吸気口中心部で輪形が二重に重なり、上記１と同様に、中心部の強い吸引力に対応できる事を示す。
３は、吸気口部の縦幅のサイズが上記１よりさらに大きい場合、例えば横６０ｃｍに対し縦５０ｃｍ以上のような場合、輪形の２重部分を大きくずらし、異型半２重輪形を形成すれば、吸気口中心部で輪形を二重に重ねることができ、やはり、中心部の強い吸引力に対応できる事を示す。
【０１３】なお、このフィルター取り付け具の環状形成については、図３に示したアルミニウム管のような部材を使わず、図６に示すような線材自体の先端をコイル状に整形し環状部としたものでもよい。線材１の二つの端部を２のようなコイル状にし、線材１を交互に通せばこの環状部で輪形が形成され、且つ、線材がスライド可能となり、輪形の形状・サイズを自在に変える事ができる。
【０１４】図７は、図３の環状部の拡大を示す。
線材２の両端部１を、線材径の２倍強の内径を持った二つのアルミニウム管３に、交互に通せば半二重の輪形が形成される。２本の線材とアルミニウム管の隙間が適当であれば、線材は適度な摩擦を伴いスライドできるので、輪形の二重部分の形状・サイズは容易に調整でき、しかも、一定の保持力でこの輪形形状を固定することができる。こうして、線材２を、その長さに規定された固定輪形ではなく、その形状・サイズを自在に変える事ができる可変半二重輪形にすることができる。
【０１５】線材の引き抜け防止部材については図８によって説明する。
アルミニウム管３の内径は線材２の２本の径よりやや大きく、線材２の端部１は線材のスライド時にアルミニウム管より飛び出す場合があり、又、扁平な楕円等輪形の形状によっては線材の弾性が強く、端部１がアルミニウム管より大きく抜ける場合が考えられ、さらに又、鋭利な端部で怪我などの事故が発生する事も考えられる。以上、輪形の形状安定性とこの取り付け具自体の安全性を満たすためには、線材の端部を包み込み、且つ、２本の線材とアルミニウム管の隙間をうずめて線材が動けなくするような、例えばプラスティック等のキャップ４の装着が有効である。
【０１６】フィルター取り付け具にフィルターを取り付けるに際しては、図９に示すように、輪形の線材とフィルター両者を結合する部材が必要であるが、線材１に貼り付けるため粘・接着剤が塗布された３の片面と、フィルターを貼り付ける機能を持った凸方フックのある４の片面を有する面ファスナー２が好適であり、これによれば、フックがフィルターの繊維に絡まり張り付いているだけであるので、フィルターは簡単に着脱できる。
【発明の効果】
このように、この発明のフィルター取り付け具は、線材を輪形にして環状部でスライド可能にしたことにより構造が簡単で、各種のレンジフードの形状にかかわらず、サイズ調節して取り付けることが可能で、さらに固定補助具を使用すればおよそ全ての装着方法にも対応できるという汎用性をもつので、これまでのように多数の品種を作る必要は無く、単品生産でよいため、製造コストも低廉で、且つ、簡単に流通させることができる利点を持っている。またこの発明のフィルター取り付け具は軽くて柔軟性があるので誰でも簡単に調節して取り付けることができる。フィルターの取り替えの際にも、面ファスナーを使えば容易に取り替えることができ、室内の環境を良くし、レンジフードの汚れを激減することができるものである。
【図面の簡単な説明】
【図１】は、フィルターを垂直方向に取り付けるレンジフードを示す図
【図２】は、フィルターを水平方向に取り付けるレンジフードを示す図
【図３】は、この発明のフィルター取り付け具の基本的な形状を示す図
【図４】は、フィルター取り付け具をレンジフードに固定させる代表的な事例を
示す図
【図５】は、フィルター取り付け具の輪形の代表的な形状を示す図
【図６】は、フィルター取り付け具の線材自体の端部をコイル状に整形し、環状
部とした事例を示す図
【図７】は、アルミニウム管を使った環状部の拡大図
【図８】は、線材の引き抜け防止部材を示す図
【図９】は、面ファスナーを用いたフィルター固定部材を示す図
【図１】
2004037060.tif 000003
【図２】
2004037060.tif 000004
【図３】
2004037060.tif 000005
【図４】
2004037060.tif 000006
【図５】
2004037060.tif 000007
【図６】
2004037060.tif 000008
【図７】
2004037060.tif 000009
【図８】
2004037060.tif 000010
【図９】
2004037060.tif 000011